(57)【要約】【課題】温水マットとプラスターボード間の捨貼合板を不要にできるように床暖房装置を施工する方法を提供する。【解決手段】床暖房装置を施工する際に、温水マット３０の温水パイプ３１と温水供給配管３３、３７を接続する金属ヘッダー３３を、断熱シート４３及び伝熱シート４１を介して、プラスターボード（耐火ボード）２０上に配置する。ヘッダー３３の下に断熱シート４３を設けることにより、ヘッダー３３がプラスターボード２０に直接接触しないため、ボード２０の水分を蒸発させない。さらに、伝熱シート４１によってヘッダー３３の熱を広い範囲に拡散するため、ボー２０表面の温度上昇を抑制できる。このため、従来必要であった捨貼合板が不要になり、床暖房装置の厚さを、捨貼合板の分だけ薄くすることができる。【選択図】      図１
2004347234.tif 000002
【特許請求の範囲】
【請求項１】
住宅の床支持構造体上に貼った無機質耐火ボード上に床暖房装置を設置する施工方法であって、
前記床暖房装置の、他の部位と比較して特別に高温となる部分を、断熱シート及び伝熱シートを介して、前記無機質耐火ボード上に配置することを特徴とする床暖房装置の施工方法。
【請求項２】
住宅の床支持構造体上に貼った無機質耐火ボード上に床暖房装置を設置する施工方法であって、
前記床暖房装置の４０℃を超える部分を、断熱シート及び伝熱シートを介して、前記無機質耐火ボード上に配置することを特徴とする床暖房装置の施工方法。
【請求項３】
前記高温となる部分が、前記床暖房装置への温水供給配管の取り付け部（ヘッダー）であることを特徴とする請求項１記載の床暖房装置の施工方法。
【発明の詳細な説明】
【０００１】
【発明の属する技術分野】
本発明は、建物の床から室内を暖房する床暖房装置の施工方法に関する。特には、床暖房装置の高さを従来の装置より低くできる床暖房装置の施工方法に関する。
【０００２】
【従来技術】
図４は、一般的な床暖房装置を設置した床の構造の一例を示す断面図である。この床構造は、下から、下地合板１０、石膏ボード（プラスターボード）２０、捨貼合板２５、小根太入温水マット（パネル）３０、仕上げ材５０が順に積層された５層構造を有する。最も下の層の下地合板１０は、根太６０の上に固定されている。一例で、下地合板１０の厚さは１２ｍｍ、プラスターボード２０の厚さは１２．５ｍｍ、捨貼合板２５の厚さは１２ｍｍである。
【０００３】
温水マット３０は、発泡ポリスチレン等の軽量で熱伝導性の低い材料で作製される。温水マット内には、温水パイプ３１を収容する溝が、マット平面内を蛇行するように形成されている。温水パイプ３１は架橋ポリエチレン等の耐熱性及び可撓性を有する材料で作製される。温水マット３０には、約６０℃の温水が流されており、この温水の熱が仕上げ材５０上に放散されて床面を暖房する。
【０００４】
温水パイプ３１の温水の入口となる部分には、金属ヘッダー（図１の符号３３参照）が取り付けられている。金属ヘッダーは、例えば、銅等の熱伝導性の高い材料で作製される。約６０℃の温水が温水パイプに供給された際、この金属ヘッダーの温度は約５０℃に上昇する。一方、耐火・準耐火住宅用の一般的なプラスターボード２０の耐熱温度は、メーカーの標準では４０℃であり、金属ヘッダーの温度より低い。このため、金属ヘッダーとプラスターボード２０が接触すると、プラスターボード２０中の水分が蒸発し、耐火性能が劣化するおそれがある。そこで、金属ヘッダーとプラスターボード２０が直接接触しないように、温水マット３０とプラスターボード２０の間に捨貼合板２５を介在させていた。
【０００５】
【発明が解決しようとする課題】
このため、床構造の厚さは、この捨貼合板２５の分（１２ｍｍ）だけ厚くなって、床の高さが高くなってしまう。また、捨貼合板の分、全体のコストが上がってしまっていた。
【０００６】
本発明は上記の課題に鑑みてなされたものであって、温水マットとプラスターボード間の捨貼合板を不要にできるように床暖房装置を施工する方法を提供することを目的とする。
【０００７】
【課題を解決するための手段】
上記の問題点を解決するため、本発明の床暖房装置の施工方法は、  住宅の床支持構造体上に貼った無機質耐火ボード上に床暖房装置を設置する施工方法であって、  前記床暖房装置の、他の部位と比較して特別に高温となる部分を、断熱シート及び伝熱シートを介して、前記無機質耐火ボード上に配置することを特徴とする。
【０００８】
本発明においては、  前記高温となる部分が、前記床暖房装置への温水供給配管の取り付け部（ヘッダー）であれば、ヘッダーの下に断熱シートを設けることにより、ヘッダーを無機質耐火ボードに直接接触させないため、耐火ボードの水分を蒸発させない。さらに、伝熱シートによってヘッダーの熱を広い範囲に拡散するため、耐火ボード表面の温度上昇を抑制できる。このため、従来必要であった捨貼合板が不要になり、床暖房装置の厚さを、捨貼合板の分だけ薄くすることができる。
【０００９】
本発明の他の床暖房装置の施工方法は、  住宅の床支持構造体上に貼った無機質耐火ボード上に床暖房装置を設置する施工方法であって、  前記床暖房装置の４０℃を超える部分を、断熱シート及び伝熱シートを介して、前記無機質耐火ボード上に配置することを特徴とする。
床暖房装置の４０℃を超えるような部分においても、この部分から無機質耐火ボードへの伝熱を防止でき、耐火ボード表面の温度上昇を抑制できる。
【００１０】
【発明の実施の形態】
以下、図面を参照しつつ説明する。
図３は、本発明の実施の形態に係る床暖房装置を設置した床の構造を示す断面図である。
この床構造１は、下から、下地合板１０、石膏ボード（無機質耐火ボード、プラスターボード）２０、小根太入温水マット３０、仕上げ材（フローリング材）５０が順に積層された４層構造を有する。つまり、図４の従来の床構造と比べると、捨貼合板２５が省かれている。
【００１１】
図１は、本発明の実施の形態に係る床構造のヘッダー付近の構造を示す図であり、図１（Ａ）は平面図、図１（Ｂ）は断面図である。
図２は、一枚の温水マット中のヘッダー付近の位置関係を示す図である。
【００１２】
図２からわかるように、床構造１の温水マット３０には、一本の温水パイプ３１がマット平面に拡がるように付設されている。温水パイプ３１の温水供給口３１ａ（図１参照）には、金属ヘッダー（取り付け部）３３を介して温水供給管３５が接続しており、同供給管３５から、約６０℃の温水が、温水パイプ３１内に供給される。温水はパイプ３１内を循環しながら熱を放出し、床面上を暖房する。温水パイプ３１の温水排出口３１ｂ（図１参照）には、金属ヘッダー３３を介して温水排出管３７が接続しており、マット３０の温水パイプ３１内を循環した温水は同排出管３７から排出される。図２に示すように、温水供給口３１ａと温水排出口３１ｂは、温水マット３０の一側面に接して配置されている。
【００１３】
金属ヘッダー３３は、熱伝導性の高い銅等の金属で作製され、図１に拡大して示すように、２つの口を有する。一方の温水パイプ接続口３３ａには、温水パイプ３１の温水供給口３１ａ又は温水排出口３１ｂが、固定部材３９で固定されて接続している。他方の温水管接続口３３ｂには、温水供給管３５又は温水排出管３７が接続されている。温水の温度が約６０℃の場合、金属ヘッダー３３の温度は約５０℃となる。
【００１４】
金属ヘッダー３３は、プラスターボード２０上に、２枚の伝熱シート４１と、１枚の断熱シート４３を介して置かれている。伝熱シート４１は、例えば、厚さが８０μｍのアルミシートを使用できる。断熱シート４３は、例えば、厚さが１ｍｍの架橋ポリエチレン発泡シートを使用できる。
【００１５】
図１（Ａ）に示すように、断熱シート４３は方形で、寸法は、ほぼ金属ヘッダー３３の本体と温水管接続口の部分の寸法に等しい。一方、伝熱シート４１は方形で、寸法は、断熱シート４３よりも大きく、金属ヘッダー３３の全部分（本体、温水パイプ接続口、温水管接続口）を置ける寸法である。
【００１６】
この床構造１においては、温度が高くなっている金属ヘッダー３３の熱は、断熱シート４３で断熱されて、その下側のプラスターボード２０には達しにくい。さらに、熱は、伝熱シート４１によって、同シートの面積方向（水平方向）に分散されて、プラスターボード２０には伝わりにくくなっている。つまり、金属ヘッダー３３の下の部分にあたるプラスターボード２０表面に熱が集中的に伝わることが回避されている。このため捨貼合板を使用しなくても、金属ヘッダー３３の熱のプラスターボードへ２０の伝熱を抑えることができ、プラスターボード２０表面の温度上昇を低減することができる。
【００１７】
次に、図１、図３を参照して、本発明の床暖房装置の施工方法について説明する。
まず、根太（床支持構造体）６０の上に下地合板１０を釘などにより固定する。下地合板１０は、一般的な厚さ１２ｍｍのものを使用できる。次に、下地合板１０の上に、プラスターボード２０を敷設する。プラスターボード２０も、標準の厚さ１２．５ｍｍのものを使用できる。
【００１８】
そして、プラスターボード２０の上に小根太入り温水マット３０を敷設する。小根太入り温水マット３０も標準品を使用できる。この際、上述のように、温水マット３０の金属ヘッダー３３の下に当たるプラスターボード２０上に、まず、伝熱シート４１を貼り付ける。そして、金属ヘッダー３３の下側の面に断熱シート４３を貼り付ける。伝熱シート４１や断熱シート４３は、予め所定の形状のものを揃えておく。
最後に、仕上げ材５０を温水マット３０の上面に敷設する。
【００１９】
この方法により、図３に示すように、床構造１は、下地合板１０、プラスターボード２０、小根太入温水マット３０、仕上げ材５０の４層構造を有する。したがって、図４の従来の床構造に比べて、捨貼合板２５の厚さ（１２ｍｍ）だけ床暖房装置の厚さを薄くすることができる。
【００２０】
この例においては、床暖房装置の温水配管の接続口である金属ヘッダー３３を断熱シート４３と伝熱シート４１を介して石膏ボード２０上に配置したが、床暖房装置において金属ヘッダー３３以外に４０℃以上となるような部分があれば、その部分も、同様に断熱シート４３と伝熱シート４１を介して石膏ボード２０上に配置してもよい。
【００２１】
【発明の効果】
以上の説明から明らかなように、本発明によれば、金属ヘッダー等の高温の部分とプラスターボードの間に断熱シート及び伝熱シートを介在させることにより、捨貼合板を使用する必要がなくなる。したがって、床構造の厚さを、従来の装置に比べて捨貼合板の厚さの分だけ薄くすることができる。
【図面の簡単な説明】
【図１】本発明の実施の形態に係る床構造のヘッダー付近の構造を示す図であり、図１（Ａ）は平面図、図１（Ｂ）は断面図である。
【図２】一枚の温水マット中のヘッダー付近の位置関係を示す図である。
【図３】本発明の実施の形態に係る床暖房装置を設置した床の構造を示す断面図である。
【図４】一般的な床暖房装置を設置した床の構造の一例を示す断面図である。
【符号の説明】
１  床構造                    １０  下地合板
２０  石膏ボード                ３０  小根太入温水マット
３１  温水パイプ                ３３  金属ヘッダー
３５  温水供給管                ３７  温水排出管
３９  固定部材                  ４１  伝熱シート
４３  断熱シート                ５０  仕上げ材
６０  根太
【図１】
2004347234.tif 000003
【図２】
2004347234.tif 000004
【図３】
2004347234.tif 000005
【図４】
2004347234.tif 000006